(57)【要約】【課題】電源の使用効率を向上させる電源装置及び電源装置制御方法を提供する。【解決手段】二次電源３１及び３２は、複数のデバイス８１〜８４に電力を供給する。電源選択回路７０は、各デバイス８１〜８４に対する電力の供給元を二次電源３１〜３２の中からそれぞれ選択する。状態検出部５０は、各二次電源３１及び３２のそれぞれの電流量を検出する。制御部６０は、状態検出部５０により検出された電流量を基に、各デバイス８１〜８４に対する電力の供給元となる二次電源３１又は３２の選択を制御する。【選択図】図１
2013093997.tif 000002
【特許請求の範囲】
【請求項１】
複数のデバイスに電力を供給する複数の電源部と、
前記各デバイスに対する電力の供給元を前記複数の電源部からそれぞれ選択する電源選択回路と、
前記各電源部のそれぞれの電流量を検出する検出部と、
前記検出部により検出された電流量を基に、前記電源選択回路による前記各デバイスに対する電力の供給元の選択を制御する制御部と
を備えたことを特徴とする電源装置。
【請求項２】
前記各電源部それぞれに対する入出力電源フィルタ回路をさらに備え、
前記検出部は、前記入出力電源フィルタ回路の電位差を計測することで前記各電源部の電流量を検出することを特徴とする請求項１に記載の電源装置。
【請求項３】
前記検出部は、前記電位差が第１閾値以上の場合、大電流と判定し、前記電流量が前記第１閾値より小さい値である第２閾値未満の場合、小電流と判定し、その判定結果を基に制御を行うことを特徴とする請求項１又は請求項２に記載の電源装置。
【請求項４】
前記制御部は、複数の前記電源部のうち大電流である電源部が電力を供給している中で負荷が最小のデバイスを、電位差が第１閾値未満の電源部から電力の供給を受けるように、前記電源選択回路による選択を切り替えることを特徴とする請求項３に記載の電源装置。
【請求項５】
前記制御部は、複数の前記電源部のうち小電流である電源部が、電位差が第２閾値より大きい電源部が供給しているデバイスの中で負荷が最小のデバイスに電力を供給するように、前記電源選択回路による選択を切り替えることを特徴とする請求項３又は請求項４に記載の電源装置。
【請求項６】
デバイスに電力を供給する複数の電源のそれぞれの電流量を検出し、
検出した電流量を基に、前記各デバイスに対する電力の供給元となる前記電源を選択し
各デバイスに対して選択した前記電源から電力を供給する
ことを特徴とする電源装置制御方法。
【発明の詳細な説明】
【技術分野】
【０００１】
本発明は、電源装置及び電源装置制御方法に関する。
【背景技術】
【０００２】
通信装置、医療機器などの各種装置には、外部からの電力供給を受けて電圧を下げ装置内へ電力を供給する一次電源と、一次電源からの電力供給を受けさらに電圧を下げて装置の各部に電力を供給する二次電源を有する電源システムが搭載されたものがある。このような電源システムでは、二次電源に複数のデバイスが接続されており、二次電源は、接続されたデバイスに対して電力を供給する。ここで、デバイスとは、二次電源が供給する電力に対して負荷を発生させる機器のことを指す。そして、装置においては、二次電源のような各デバイスに対して電力を供給する電源の使用効率が良いことが望ましい。そこで、以下に、各デバイスに対して電力を供給する電源の使用効率について説明する。
【０００３】
各電源が供給する電流などの設計は、接続されるデバイスによって決められている。電源の設計においては、デバイスの消費電流は各デバイスのデータシートなどから最大基準で見積もられる。そのため、電源は、接続された全てのデバイスにおける消費電力が最大になった場合の電流を供給できることを条件に設計される。
【０００４】
ここで、従来技術として、予め予測された負荷マップを基に、電源から供給する電力を変換する複数の変換器の中からどの変換器を動作させるかを決定する技術がある。また、直流機器が要求する消費電力に応じて電力を供給する複数の電源ユニットの中から動作させる電源ユニットを選択し供給電力を変化させる従来技術がある。さらに、２台の電源を搭載し、複数のデバイスへの電源供給として、供給できる最大値となるまで一方の電源に電源供給を行なわせ、それ以上の供給を行う場合には他方の電源から電源供給を行うようにする従来技術がある。
【先行技術文献】
【特許文献】
【０００５】
【特許文献１】特開２００８−２２６２８号公報
【特許文献２】特開２００９−１５９６９１号公報
【特許文献３】特開２００３−８７９６８号公報
【発明の概要】
【発明が解決しようとする課題】
【０００６】
しかしながら、実際に装置が動作している場合のデバイスの消費電流の測定値は最大値と大きく異なる場合が多い。この理由として、以下のことが考えられる。すなわち、最近のデバイスは多機能搭載のものが多く、全機能使用、最大動作速度及び環境温度が最も高い場合などの悪条件が重なったときの電力がデータシートにおける最大値となっている。一方で、実際に装置を運用する場合、データシート上の条件と同様になることは稀である。そうだとしても、電源の設計段階では、実運用時の条件は確定できないため、最大値を保障できる電力構成としている。このようなことから、電源は最大効率で動作していないことが多い。
【０００７】
従来、設計段階で電源に接続するデバイスが固定的に決められてしまっていた。そのため、実際の装置稼動時における実測値の負荷状態が設計時の値と異なっており電源の使用効率が低下している状態であっても、使用効率が低下した電源からの電力供給量を変更できず、電源の使用効率を向上させることは困難であった。
【０００８】
また、予め予測された負荷マップを基に変換器を決定する従来技術や、直流機器が要求する消費電力に応じて供給電力を変化させる従来技術を用いても、使用効率が低下した電源からの電力供給量を変更できず、電源の使用効率を向上させることは困難であった。また、２台の電源のうち一方の電力供給が上限に達すると、他方から電力供給を行なわせる従来技術を用いても、使用効率が低下した電源からの電力供給量を変更できず、電源の使用効率を向上させることは困難であった。
【０００９】
開示の技術は、上記に鑑みてなされたものであって、電源の使用効率を向上させる電源装置及び電源装置制御方法を提供することを目的とする。
【課題を解決するための手段】
【００１０】
本願の開示する電源装置及び電源装置制御方法は、一つの態様において、電源部は、複数のデバイスに電力を供給する。電源選択回路は、前記各デバイスに対する電力の供給元を前記複数の電源部からそれぞれ選択する。検出部は、前記各電源部のそれぞれの電流量を検出する。制御部は、前記検出部により検出された電流量を基に、前記各デバイスに対する電力の供給元となる前記電源部の選択を制御する。
【発明の効果】
【００１１】
本願の開示する電源装置及び電源装置制御方法の一つの態様によれば、電源の使用効率を向上させることができるという効果を奏する。
【図面の簡単な説明】
【００１２】
【図１】図１は、実施例に係る電源装置のブロック図である。
【図２】図２は、電源選択回路の詳細構成を示すブロック図である。
【図３Ａ】図３Ａは、供給元の電源切り替えにおけるタイムチャートである。
【図３Ｂ】図３Ｂは、負荷デバイスに入力される電圧のタイムチャートである。
【図４】図４は、実施例に係る電源装置による供給元電源の選択処理のフローチャートである。
【図５】図５は、供給元電源を切り替える一例における各部の動作を表すシーケンス図である。
【図６】図６は、供給元電源を切り替える他の例における各部の動作を表すシーケンス図である。
【図７】図７は、供給元電源を切り替える別の他の例における各部の動作を表すシーケンス図である。
【図８】図８は、双方の二次電源の使用効率が悪い状態の使用効率を説明するための図である。
【図９】図９は、図８の状態を実施例に係る電源装置によって改善した場合の使用効率を説明するための図である。
【図１０】図１０は、一方の二次電源の使用効率が悪い状態の使用効率を説明するための図である。
【図１１】図１１は、図１０の状態を実施例に係る電源装置によって改善した場合の使用効率を説明するための図である。
【図１２】図１２は、電源装置のハードウェア構成の一例の図である。
【発明を実施するための形態】
【００１３】
以下に、本願の開示する電源装置及び電源装置制御方法の実施例を図面に基づいて詳細に説明する。なお、以下の実施例により本願の開示する電源装置及び電源装置制御方法が限定されるものではない。
【実施例】
【００１４】
図１は、実施例に係る電源装置のブロック図である。図１に示すように、本実施例に係る電源装置は、一次電源１０、コイル２１、２２、二次電源３１、３２、増幅器４１、４２、状態検出部５０、制御部６０、電源選択回路７０及びデバイス８１〜８４を有する。
【００１５】
一次電源１０は、外部から電力の供給を受ける。本実施例では、外部からの電力の電圧は、例えば、４８Ｖである。そして、一次電源１０は、供給された電力の電圧を、例えば、４８Ｖから１２Ｖに下げる。この、一次電源１０は、大まかに電圧を下げる役割を担っている。そして、一次電源１０は、二次電源３１及び３２に向けて電源を供給する。
【００１６】
本実施例では、一次電源１０と二次電源３１とを結ぶ電源の供給経路の途中には、コイル２１が配置されている。すなわち、本実施例では、コイル２１は、二次電源３１の入力側に配置されている。そして、コイル２１は、一次電源１０から二次電源３１に供給される電力のノイズを取り除く。コイル２１によりノイズが取り除かれた後、電力は二次電源３１に供給される。
【００１７】
また、一次電源１０と二次電源３２とを結ぶ電源の供給経路の途中には、コイル２２が配置されている。すなわち、本実施例では、コイル２２は、二次電源３２の入力側に配置されている。そして、コイル２２は、一次電源１０から二次電源３２に供給される電力のノイズを取り除く。コイル２２によりノイズが取り除かれた後、電力は二次電源３２に供給される。このコイル２１及びコイル２２が、「入出力電源フィルタ」の一例にあたる。コイル２１及びコイル２２は、例えば、直流抵抗が０．００１ｍΩ±２０％程度のコイルである。
【００１８】
二次電源３１は、電力の供給を一次電源１０から受ける。そして、二次電源３１は、デバイス８１〜８４の動作電圧まで電圧を下げる。本実施例では、二次電源３１は、例えば、１２Ｖの電圧を有する電力の供給を受け、１．５Ｖまで電圧を下げる。そして、二次電源３１は、デバイス８１〜８４の動作電圧を有する電力を電源選択回路７０に供給する。
【００１９】
二次電源３２は、電力の供給を一次電源１０から受ける。そして、二次電源３２は、デバイス８１〜８４の動作電圧まで電圧を下げる。本実施例では、二次電源３２は、例えば、１２Ｖの電圧を有する電力の供給を受け、１．５Ｖまで電圧を下げる。そして、二次電源３２は、デバイス８１〜８４の動作電圧を有する電力を電源選択回路７０に供給する。
【００２０】
増幅器４１は、コイル２１の両端における電位差を取得する。そして、増幅器４１は、取得した電位差を増幅し、状態検出部５０へ出力する。
【００２１】
増幅器４２は、コイル２２の両端における電位差を取得する。そして、増幅器４２は、取得した電位差を増幅し、状態検出部５０へ出力する。
【００２２】
ここで、本実施例では、コイル２１及び２２の両端間の電位差が小さいため、電位差を用いた電流の検出を容易にするように増幅器４１及び４２を用いて増幅を行なっているが、電位差が大きい場合には、増幅器４１及び４２による増幅は行なわなくてもよい。
【００２３】
状態検出部５０は、過大な電流が流れている大電流状態であるか否かを判定するための電圧値である第１閾値を記憶している。また、状態検出部５０は、過少な電流しか流れていない小電流状態であるか否かを判定するための電圧値である第２閾値を記憶している。ここで、大電流状態とは、電源の使用効率が高効率状態となる上限の電流以上の電流が流れていることをさす。また、小電流状態とは、電源の使用効率が高効率状態となる下限の電流未満の電流が流れていることをさす。そして、高効率状態は、流れる電流を変化させた場合における電源の使用効率を求め、その中で最大効率となる値に近い値（例えば、最大効率の値から０．５％未満の値など。）をとる範囲を高効率状態となる範囲などとして決定することができる。
【００２４】
状態検出部５０は、増幅器４１からコイル２１の両端の電位差の入力を受ける。次に、状態検出部５０は、取得した電位差と第１閾値及び第２閾値との関係を求め、二次電源３１に流れる電流の電流量が大電流状態か、小電流状態か、高効率状態かを検出する。具体的には、状態検出部５０は、電位差が第１閾値以上の場合、大電流状態と検出する。また、状態検出部５０は、電位差が第１閾値未満であり第２閾値以上の場合、高効率状態と検出する。また、状態検出部５０は、電位差が第２閾値未満の場合、小電流状態と検出する。さらに、状態検出部５０は、瞬間的な電圧変化の検出を避けるため、検出した状態が所定期間続いた場合に、電流量が検出した状態になったと判定する。この所定期間を、グリッチ時間ともいう場合もある。そして、状態検出部５０は、検出した二次電源３１に流れる電流の電流量の状態を制御部６０の選択判定部６１へ出力する。
【００２５】
また、状態検出部５０は、増幅器４２からコイル２２の両端の電位差の入力を受ける。次に、状態検出部５０は、取得した電位差と第１閾値及び第２閾値との関係を求め、二次電源３２に流れる電流の電流量が大電流状態か、小電流状態か、高効率状態かを検出する。この場合も、状態検出部５０は、瞬間的な電圧変化の検出を避けるため、検出した状態が所定期間続いた場合に、電流量が検出した状態になったと判定する。そして、状態検出部５０は、検出した二次電源３２に流れる電流の電流量の状態を制御部６０の選択判定部６１へ出力する。
【００２６】
ここで、本実施例では、ノイズを取り除くフィルタとしてのコイル２１及び２２を二次電源３１及び３２の入力側に配置しているが、これは他の場所でも良い。例えば、ノイズを取り除くフィルタは、二次電源３１及び３２の出力側に配置してもよい。さらには、二次電源３１及び３２の中にフィルタを組み込むなどして、フィルタをかける位置を電気の入力側又は出力側のいずれかを選べる構成にしてもよい。そして、フィルタをいずれの位置に配置した場合であっても、状態検出部５０は、フィルタの両端の電位差を計測するように配置すればよい。
【００２７】
制御部６０は、選択判定部６１、デバイス制御部６２及び電源設定部６３を有している。
【００２８】
選択判定部６１は、二次電源３１及び３２に流れるそれぞれの電流の電流量の状態を状態検出部５０から受ける。
【００２９】
そして、選択判定部６１は、二次電源３１及び３２に流れる電流の電流量がいずれも高効率状態、大電流状態又は小電流状態の場合、電源選択回路７０によるデバイス８１〜８４に対する電力の供給元の現在の選択状態の維持を決定する。これは、二次電源３１及び３２に流れる電流の電流量がいずれも高効率状態の場合は、現在の状態が効率のよい状態であり選択を切り替える必要が無いからである。また、二次電源３１及び３２に流れる電流の電流量がいずれも大電流状態又は小電流状態の場合には、選択を切り替えても、二次電源３１及び３２のいずれかの使用効率がより悪くなり、全体的な使用効率の改善が見込めないからである。
【００３０】
これに対して、二次電源３１及び３２に流れる電流の電流量がいずれか一方が大電流状態であり、他方が小電流状態又は高効率状態の場合、選択判定部６１は、一方の二次電源が電力を供給しているデバイスの中で最小の負荷を有するデバイスを特定する。そして、選択判定部６１は、特定したデバイスを他方の二次電源から電力の供給を受けるように、電源選択回路７０によるデバイス８１〜８４に対する電力の供給元の選択を決定する。
【００３１】
また、二次電源３１及び３２に流れる電流の電流量がいずれか一方が小電流状態であり、他方が大電流状態又は高効率状態の場合、選択判定部６１は、他方の二次電源が電力を供給しているデバイスの中で最小の負荷を有するデバイスを特定する。そして、選択判定部６１は、特定したデバイスを一方の二次電源から電力の供給を受けるように、電源選択回路７０によるデバイス８１〜８４に対する電力の供給元の選択を決定する。
【００３２】
そして、選択判定部６１は、決定したデバイス８１〜８４に対する電力の供給元の選択を電源選択回路７０に通知する。
【００３３】
また、例えば、選択判定部６１は、電力供給元の切り替えを行ったデバイスを記憶しておき、同じデバイスに対して予め決められた回数以上、電源供給元の切り替えを連続して行った場合には電力供給元の切り替え処理を停止してもよい。さらに、選択判定部６１は、切り替えを繰り返すことで、同じ状態が繰り返されていると判定した場合、繰り返される状態の中で最も効率がよい状態で切り替えを停止してもよい。
【００３４】
デバイス制御部６２は、デバイス８１〜８４に対して処理の実行命令を通知し、デバイス８１〜８４のそれぞれに処理を実行させる。また、デバイス制御部６２は、デバイス８１〜８４に実行させている処理による仕事量を保持している。さらに、デバイス制御部６２は、デバイスの指定及び指定されたデバイスの仕事量の情報提供の要求を電源設定部６３から受ける。そして、デバイス制御部６２は、デバイス８１〜８４うちの指定されたデバイスの仕事量を電源設定部６３に通知する。
【００３５】
電源設定部６３は、選択判定部６１により決定されたデバイス８１〜８４に対する電力の供給元の選択の通知を選択判定部６１から受ける。以下では、二次電源３１及び３２のうちデバイスを電力の供給先から外すと選択判定部６１により決定された電源を「効率低下電源」といい、外されたデバイスの供給元として指定された電源を「切替先電源」という。
【００３６】
電源設定部６３は、デバイス８１〜８４の中から、二次電源３１又は３２のうち効率低下電源が現在電源を供給しているデバイスを特定する。そして、電源設定部６３は、特定したデバイスのそれぞれの仕事量の情報提供をデバイス制御部６２に要求する。そして、電源設定部６３は、特定したデバイスのそれぞれの仕事量をデバイス制御部６２から取得する。さらに、電源設定部６３は、取得した仕事量の情報から、特定したデバイスのうち仕事量が最小のデバイスを、効率低下電源における最小負荷のデバイスとして選択する。
【００３７】
次に、電源設定部６３は、選択した効率低下電源における最小負荷のデバイスへの電力の供給元を、効率低下電源から切替先電源にするように、電源選択回路７０に指示する。
【００３８】
ここで、本実施例では、最小負荷のデバイスとして、仕事量が一番少ないデバイスを選択しているが、最小負荷のデバイスの判定基準には他の基準を用いてもよい。例えば、データシートに記載されている電力が高いデバイスを、最小負荷のデバイスとして選択してもよい。
【００３９】
電源選択回路７０は、デバイス８１〜８４のそれぞれに対する電力の供給元を二次電源３１及び３２のいずれかにするか選択する回路である。電源選択回路７０は、電源設定部６３からの指示をうけて、指定されたデバイスの電源供給元の選択を効率低下電源から切替先電源へと切り替える。
【００４０】
図２は、電源選択回路の詳細構成を示すブロック図である。電源選択回路７０は、二次電源３１及び３２のそれぞれからデバイス８１〜８４のそれぞれへ電力を供給する経路を有している。さらに、電源選択回路７０は、電源の供給経路上にスイッチを有している。本実施例では、電源の供給経路上にスイッチとして、ＦＥＴ（Field  Effect  Transistor）スイッチ７１〜７８を用いている。例えば、電源選択回路７０は、二次電源３１からデバイス８１へと電力を供給する経路上にＦＥＴスイッチ７１を有している。また、電源選択回路７０は、各デバイス８１〜８４とそれぞれに接続されているＦＥＴスイッチ７１〜７８との間にコンデンサ１７１〜１７４を有している。本実施例では、電源選択回路７０は、ＦＥＴスイッチ７２とデバイス８１との間にコンデンサ１７１を有しており、ＦＥＴスイッチ７４とデバイス８２との間にコンデンサ１７２を有している。さらに、電源選択回路７０は、ＦＥＴスイッチ７６とデバイス８３との間にコンデンサ１７３を有しており、ＦＥＴスイッチ７８とデバイス８４との間にコンデンサ１７４を有している。ここで、本実施例では、二次電源３２からデバイス８１〜８４への電力供給経路上にコンデンサ１７１〜１７４を配置したが、これは他の位置でもよい。例えば、コンデンサ１７１〜１７４の位置は、二次電源３１からデバイス８１〜８４への電力供給経路上でもよいし、二次電源３１からの経路と二次電源３２からの経路が交わった後に配置されても良い。そして、コンデンサ１７１〜１７４は、それぞれグランドに接続されている。
【００４１】
そして、ＦＥＴスイッチ７１〜７８のそれぞれは、電源設定部６３から電圧の入力を受けるように接続されている。ＦＥＴスイッチ７１〜７８は、電源設定部６３から予め決められた値以上の電圧が印加されるとＯＮとなり、それ以下の電圧もしくは電圧が加えられていない場合はＯＦＦとなる。そして、ＦＥＴスイッチ７２にはＦＥＴスイッチ７１に印加された電圧が反転入力される。また、ＦＥＴスイッチ７４にはＦＥＴスイッチ７３に印加された電圧が反転入力される。また、ＦＥＴスイッチ７６にはＦＥＴスイッチ７５に印加された電圧が反転入力される。また、ＦＥＴスイッチ７８にはＦＥＴスイッチ７７に印加された電圧が反転入力される。すなわち、ＦＥＴスイッチ７１とＦＥＴスイッチ７２とはいずれか一方がＯＮになり他方がＯＦＦになる。また、ＦＥＴスイッチ７３とＦＥＴスイッチ７４とはいずれか一方がＯＮになり他方がＯＦＦになる。また、ＦＥＴスイッチ７５とＦＥＴスイッチ７６とはいずれか一方がＯＮになり他方がＯＦＦになる。また、ＦＥＴスイッチ７７とＦＥＴスイッチ７８とはいずれか一方がＯＮになり他方がＯＦＦになる。
【００４２】
例えば、デバイス８１及び８３の電力供給元を二次電源３１とし、デバイス８２及び８４の電力供給元を二次電源３２とする場合について説明する。この場合、電源設定部６３は、スイッチ７１、７４、７５及び７８をＯＮにし、スイッチ７２、７３、７６及び７７をＯＦＦにするように電圧をそれぞれのスイッチに印加する。電源選択回路７０は、電源設定部６３からの印加電圧を受けて、スイッチ７１、７４、７５及び７８をＯＮにし、スイッチ７２、７３、７６及び７７をＯＦＦにする。
【００４３】
さらに、供給元の電源の切り替えにおけるデバイスへの電圧の変化について説明する。図３Ａは、供給元の電源切り替えにおけるタイムチャートである。また、図３Ｂは、負荷デバイスに入力される電圧のタイムチャートである。ここでは、デバイス８１の電力供給元を、二次電源３１から二次電源３２に切り替える場合で説明する。
【００４４】
図３Ａは、縦軸で電圧を表し、横軸で時間を表している。そして、グラフ２０１が、二次電源３１からデバイス８１に供給される電圧を表している。また、グラフ２０２が、二次電源３２からデバイス８１に供給される電圧を表している。さらに、点線は、デバイス８１が要求する最低電圧２０３の値を表している。すなわち、デバイス８１に供給される電圧が最低電圧２０３を下回ると、デバイス８１は動作不能となる。
【００４５】
グラフ２０１及び２０２に示すように、最初はＦＥＴスイッチ７１がＯＮでＦＥＴスイッチ７２がＯＦＦあり、二次電源３１から電圧がかけられており、二次電源３２からは電圧がかけられていない。そして、タイミング２１１でＦＥＴスイッチ７１がＯＦＦとなり、二次電源３１からの電力がデバイス８１に供給されなくなる。しかし、コンデンサ１７１に電荷が蓄えられているため、グラフ２０１に示すように、二次電源３１からの電圧は緩やかに下がっていく。また、タイミング２１１と同じタイミングであるタイミング２２１でＦＥＴスイッチ７２がＯＮとなり、二次電源３２からのデバイス８１への電力供給が開始される。ＦＥＴスイッチ７２は、高速スイッチであるので、グラフ２０２に示すように、二次電源３２からの電圧は急峻に上昇した後一定となる。
【００４６】
このため、図３Ａの切り替えにおいて、デバイス８１に実際に入力される電圧は、図３Ｂのグラフ２０５のようになる。すなわち、デバイス８１に実際に入力される電圧は、最低電圧２０３を下回らない。このように、電力供給元の切り替えにおいて、ＦＥＴスイッチの切り替え時間が短いので、デバイス８１側にあるコンデンサ１７１に蓄えられている電荷で状態を保持することができ、デバイス８１の電源供給には影響が無い。また、ここでは、デバイス８１を例に説明したが、他のデバイス８２〜８４でも同様である。
【００４７】
さらに、選択判定部６１は、電源選択回路７０の初期設定を記憶している。初期設定とは、本実施例に係る電源装置が組み込まれた装置（以下では、単に「装置」という場合がある。）起動時に、二次電源３１及び３２のいずれもデバイスに電力を供給していない状態における、デバイス８１〜８４の電力供給元の選択の設定である。そして、選択判定部６１は、装置起動時には初期設定となるように電源選択回路７０へ電圧を印加する。これは、装置起動時には、電力の供給が行われていないので、設定判定部６１による電力供給元の選択の決定が行なわれていないため、仮にデバイス８１〜８４への電力供給元を仮に決定するためである。本実施例では、初期設定では、デバイス８１及び８２が二次電源３１から電力の供給を受け、デバイス８３及び８４が二次電源３２から電力の供給を受けるものとする。ただし、初期設定は固定でなくてもよく、選択判定部６１は、前回装置が動作したときの電力供給元の設定を記憶しておき、次の装置起動時に記憶した設定を初期設定として用いても良い。
【００４８】
デバイス８１〜８４は、それぞれが二次電源３１又は３２のうち電源選択回路７０によって選択された側から電力の供給を受ける。ここで、本実施例では、デバイス８１〜８４の４つのデバイスで説明したが、複数であればデバイスの数に特に制限はない。
【００４９】
次に、図４を参照して、本実施例に係る電源装置による供給元電源の選択について説明する。図４は、実施例に係る電源装置による供給元電源の選択処理のフローチャートである。
【００５０】
状態検出部５０は、二次電源３１に流れる電流の電流量の状態及び二次電源３２に流れる電流の電流量の状態を検出する（ステップＳ１０１）。
【００５１】
選択判定部６１は、双方の二次電源の電流量の状態の入力を状態検出部５０から受ける。そして、選択判定部６１は、二次電源３１が高効率状態か否かを判定する（ステップＳ１０２）。
【００５２】
二次電源３１が高効率状態でない場合（ステップＳ１０２：否定）、選択判定部６１は、二次電源３１が大電流状態か否かを判定する（ステップＳ１０３）。
【００５３】
二次電源３１が大電流状態の場合（ステップＳ１０３：肯定）、選択判定部６１は、二次電源３２が大電流状態か否かを判定する（ステップＳ１０４）。
【００５４】
二次電源３２が大電流状態の場合（ステップＳ１０４：肯定）、二次電源３１及び３２のいずれも大電流状態であるので、選択判定部６１は、現状の経路を保持することを決定する（ステップＳ１０５）。
【００５５】
一方、二次電源３２が大電流状態でない場合（ステップＳ１０４：否定）、二次電源３１は大電流状態であり、二次電源３２は小電流状態又は高効率状態である。そこで、選択判定部６１は、二次電源３１が電力供給するデバイスのうち最小負荷のデバイスに対する電源供給元を二次電源３２に切り替えることを決定する。そして、電源設定部６３は、二次電源３１が電力を供給するデバイスのうち最小負荷であるデバイスを特定する。そして、電源選択回路７０は、電源設定部６３からの電圧の印加を受けて、二次電源３１が電力供給するデバイスのうち最小負荷のデバイスに対する電源供給元を二次電源３２に切り替える（ステップＳ１０６）。
【００５６】
一方、二次電源３１でない大電流状態の場合（ステップＳ１０３：否定）、選択判定部６１は、二次電源３２が小電流状態か否かを判定する（ステップＳ１０７）。
【００５７】
二次電源３２が小電流状態でない場合（ステップＳ１０７：否定）、二次電源３１及び３２のいずれも小電流状態であるので、選択判定部６１は、現状の経路を保持することを決定する（ステップＳ１０５）。
【００５８】
一方、二次電源３２が小電流状態の場合（ステップＳ１０７：肯定）、二次電源３１は小電流状態であり、二次電源３２は大電流状態又は高効率状態である。そこで、選択判定部６１は、二次電源３２が電力供給するデバイスのうち最小負荷のデバイスに対する電源供給元を二次電源３１に切り替えることを決定する。そして、電源設定部６３は、二次電源３２が電力を供給するデバイスのうち最小負荷であるデバイスを特定する。そして、電源選択回路７０は、電源設定部６３からの電圧の印加を受けて、二次電源３２が電力供給するデバイスのうち最小負荷のデバイスに対する電源供給元を二次電源３１に切り替える（ステップＳ１１０）。
【００５９】
二次電源３１が高効率状態の場合（ステップＳ１０２：肯定）、選択判定部６１は、二次電源３２が高効率状態か否かを判定する（ステップＳ１０８）。
【００６０】
二次電源３２が高効率状態の場合（ステップＳ１０８：肯定）、二次電源３１及び３２のいずれも高効率状態であるので、選択判定部６１は、現状の経路を保持することを決定する（ステップＳ１０５）。
【００６１】
これに対して、二次電源３２が高効率状態でない場合（ステップＳ１０８：否定）、選択判定部６１は、二次電源３２が大電流状態か否かを判定する（ステップＳ１０９）。
【００６２】
二次電源３２が大電流状態の場合（ステップＳ１０９：肯定）、二次電源３１は高効率状態であり、二次電源３２は大電流状態である。そこで、選択判定部６１は、二次電源３２が電力供給するデバイスのうち最小負荷のデバイスに対する電源供給元を二次電源３１に切り替えることを決定する。そして、電源設定部６３は、二次電源３２が電力を供給するデバイスのうち最小負荷であるデバイスを特定する。そして、電源選択回路７０は、電源設定部６３からの電圧の印加を受けて、二次電源３２が電力供給するデバイスのうち最小負荷のデバイスに対する電源供給元を二次電源３１に切り替える（ステップＳ１１０）。
【００６３】
一方、二次電源３２が大電流状態でない場合（ステップＳ１０９：否定）、二次電源３１は高効率状態であり、二次電源３２は小電流状態である。そこで、選択判定部６１は、二次電源３１が電力供給するデバイスのうち最小負荷のデバイスに対する電源供給元を二次電源３２に切り替えることを決定する。そして、電源設定部６３は、二次電源３１が電力を供給するデバイスのうち最小負荷であるデバイスを特定する。そして、電源選択回路７０は、電源設定部６３からの電圧の印加を受けて、二次電源３１が電力供給するデバイスのうち最小負荷のデバイスに対する電源供給元を二次電源３２に切り替える（ステップＳ１０６）。
【００６４】
次に、図５を参照して、供給元電源を切り替える一例における各部の動作の流れを説明する。図５は、供給元電源を切り替える一例における各部の動作を表すシーケンス図である。図５は、紙面に向かって下に行くにしたがい時間が経過していることを表している。ここでは、一方の二次電源が大電力状態であり、他方が小電力状態であるため、電源供給元を切り替える場合について説明する。
【００６５】
制御部６０は、初期設定の状態となるように電源選択回路７０に電圧を印加する（ステップＳ２０１）。電源選択回路７０は、制御部６０からの電圧の印加を受けて、デバイス８１及び８２の電力供給元を二次電源３１とし、デバイス８３及び８４の電力供給元を二次電源３２とする（ステップＳ２０２）。
【００６６】
その後、状態検出部５０は、二次電源３１が大電流状態であることを検出する（ステップＳ２０３）。さらに、状態検出部５０は、二次電源３２が小電流状態であることを検出する（ステップＳ２０４）。そして、状態検出部５０は、二次電源３１が大電流状態であり及び二次電源３２が小電流状態であることを制御部６０に通知する（ステップＳ２０５）。
【００６７】
制御部６０は、状態検出部５０からの通知を受けて、二次電源３１を電力供給元としているデバイスの中で最小負荷のデバイスの電力供給元を二次電源３２に切り替えることを決定する（ステップＳ２０６）。そして、制御部６０は、二次電源３１を電力供給元としているデバイスの中で最小負荷のデバイスを特定し、その特定したデバイスに選択させる電源供給元を切り替えるよう電源選択回路７０に電圧を印加する（ステップＳ２０７）。ここでは、デバイス８２が最小負荷のデバイスの場合で説明する。
【００６８】
電源選択回路７０は、制御部６０からの電圧の印加を受けて、デバイス８１の電力供給元を二次電源３１とし、デバイス８２、８３及び８４の電力供給元を二次電源３２とする（ステップＳ２０８）。
【００６９】
その後、状態検出部５０は、二次電源３１が高効率状態であることを検出する（ステップＳ２０９）。さらに、状態検出部５０は、二次電源３２が高効率状態であることを検出する（ステップＳ２１０）。そして、状態検出部５０は、二次電源３１及び３２が高効率状態であることを制御部６０に通知する（ステップＳ２１１）。
【００７０】
制御部６０は、状態検出部５０からの通知を受けて、現在の設定を保持することを決定する（ステップＳ２１２）。
【００７１】
ここで、期間２５０が供給元電源を切り替える処理の１サイクルを表している。すなわち、図５では、２サイクルの供給元電源を切り替える処理が記載されている。ただし、実際には、設定を保持した場合でも、供給元電源を切り替える処理は終了せず、その後も供給元電源を切り替える処理のサイクルが繰り返される。
【００７２】
次に、図６を参照して、供給元電源を切り替える他の例における各部の動作の流れを説明する。図６は、供給元電源を切り替える他の例における各部の動作を表すシーケンス図である。ここでは、一方の二次電源が大電流状態のため切り替えを行ったが、切り替えた先の電源の使用効率が悪化した場合について説明する。
【００７３】
制御部６０は、初期設定の状態となるように電源選択回路７０に電圧を印加する（ステップＳ３０１）。電源選択回路７０は、制御部６０からの電圧の印加を受けて、デバイス８１及び８２の電力供給元を二次電源３１とし、デバイス８３及び８４の電力供給元を二次電源３２とする（ステップＳ３０２）。
【００７４】
その後、状態検出部５０は、二次電源３１が大電流状態であることを検出する（ステップＳ３０３）。さらに、状態検出部５０は、二次電源３２が小電流状態であることを検出する（ステップＳ３０４）。そして、状態検出部５０は、二次電源３１が大電流状態であり及び二次電源３２が小電流状態であることを制御部６０に通知する（ステップＳ３０５）。
【００７５】
制御部６０は、状態検出部５０からの通知を受けて、二次電源３１を電力供給元としているデバイスの中で最小負荷のデバイスの電力供給元を二次電源３２に切り替えることを決定する（ステップＳ３０６）。そして、制御部６０は、二次電源３１を電力供給元としているデバイスの中で最小負荷のデバイスを特定し、その特定したデバイスに選択させる電源供給元を切り替えるよう電源選択回路７０に電圧を印加する（ステップＳ３０７）。ここでは、デバイス８２が最小負荷のデバイスの場合で説明する。
【００７６】
電源選択回路７０は、制御部６０からの電圧の印加を受けて、デバイス８１の電力供給元を二次電源３１とし、デバイス８２、８３及び８４の電力供給元を二次電源３２とする（ステップＳ３０８）。
【００７７】
その後、状態検出部５０は、二次電源３１が高効率状態であることを検出する（ステップＳ３０９）。さらに、状態検出部５０は、二次電源３２が大電流状態であることを検出する（ステップＳ３１０）。そして、状態検出部５０は、二次電源３１が高効率状態であり、二次電源３２が大電流状態であることを制御部６０に通知する（ステップＳ３１１）。
【００７８】
制御部６０は、状態検出部５０からの通知を受けて、二次電源３２を電力供給元としているデバイスの中で最小負荷のデバイスの電力供給元を二次電源３１に切り替えることを決定する（ステップＳ３１２）。そして、制御部６０は、二次電源３２を電力供給元としているデバイスの中で最小負荷のデバイスを特定し、その特定したデバイスに選択させる電源供給元を切り替えるよう電源選択回路７０に電圧を印加する（ステップＳ３１３）。ここでは、デバイス８３が最小負荷のデバイスの場合で説明する。
【００７９】
電源選択回路７０は、制御部６０からの電圧の印加を受けて、デバイス８１及び８３の電力供給元を二次電源３１とし、デバイス８２及び８４の電力供給元を二次電源３２とする（ステップＳ３１４）。
【００８０】
その後、状態検出部５０は、二次電源３１が高効率状態であることを検出する（ステップＳ３１５）。さらに、状態検出部５０は、二次電源３２が高効率状態であることを検出する（ステップＳ３１６）。そして、状態検出部５０は、二次電源３１及び３２が高効率状態であることを制御部６０に通知する（ステップＳ３１７）。
【００８１】
制御部６０は、状態検出部５０からの通知を受けて、現在の設定を保持することを決定する（ステップＳ３１８）。
【００８２】
このように、一度供給元の切り替えを行った後でも未だ電源の使用効率が悪い場合には、さらに電力の供給元の切り替えを繰り返すことで、二次電源３１及び３２の使用効率を向上させることができる。ここで、図６においても、実際には、設定を保持した場合でも、供給元電源を切り替える処理は終了せず、その後も供給元電源を切り替える処理のサイクルが繰り返される。
【００８３】
次に、図７を参照して、供給元電源を切り替える別の他の例における各部の動作の流れを説明する。図７は、供給元電源を切り替える別の他の例における各部の動作を表すシーケンス図である。ここでは、一方の二次電源が小電流状態のため、電源供給元を切り替える場合について説明する。
【００８４】
制御部６０は、初期設定の状態となるように電源選択回路７０に電圧を印加する（ステップＳ４０１）。電源選択回路７０は、制御部６０からの電圧の印加を受けて、デバイス８１及び８２の電力供給元を二次電源３１とし、デバイス８３及び８４の電力供給元を二次電源３２とする（ステップＳ４０２）。
【００８５】
その後、状態検出部５０は、二次電源３１が高効率状態であることを検出する（ステップＳ４０３）。さらに、状態検出部５０は、二次電源３２が小電流状態であることを検出する（ステップＳ４０４）。そして、状態検出部５０は、二次電源３１が高効率状態であり及び二次電源３２が小電流状態であることを制御部６０に通知する（ステップＳ４０５）。
【００８６】
制御部６０は、状態検出部５０からの通知を受けて、二次電源３１を電力供給元としているデバイスの中で最小負荷のデバイスの電力供給元を二次電源３２に切り替えることを決定する（ステップＳ４０６）。そして、制御部６０は、二次電源３１を電力供給元としているデバイスの中で最小負荷のデバイスを特定し、その特定したデバイスに選択させる電源供給元を変更するよう電源選択回路７０に電圧を印加する（ステップＳ４０７）。ここでは、デバイス８２が最小負荷のデバイスの場合で説明する。
【００８７】
電源選択回路７０は、制御部６０からの電圧の印加を受けて、デバイス８１の電力供給元を二次電源３１とし、デバイス８２、８３及び８４の電力供給元を二次電源３２とする（ステップＳ４０８）。
【００８８】
その後、状態検出部５０は、二次電源３１が高効率状態であることを検出する（ステップＳ４０９）。さらに、状態検出部５０は、二次電源３２が高効率状態であることを検出する（ステップＳ４１０）。そして、状態検出部５０は、二次電源３１及び３２が高効率状態であることを制御部６０に通知する（ステップＳ４１１）。
【００８９】
制御部６０は、状態検出部５０からの通知を受けて、現在の設定を保持することを決定する（ステップＳ４１２）。
【００９０】
図７においても、実際には、設定を保持した場合でも、供給元電源を切り替える処理は終了せず、その後も供給元電源を切り替える処理のサイクルが繰り返される。
【００９１】
次に、図８及び図９を参照して、二次電源３１及び３２の双方の使用効率が悪い場合における、本実施例に係る電力装置による使用効率の改善について説明する。図８は、双方の二次電源の使用効率が悪い状態の使用効率を説明するための図である。また、図９は、図８の状態を実施例に係る電源装置によって改善した場合の使用効率を説明するための図である。図８及び図９では、縦軸が使用効率を表し、横軸が電流量を表している。また、図８及び図９は、一例として、二次電源３１及び３２にかかる電圧が１．５Ｖのときの、電流量と使用効率の関係を表している。
【００９２】
グラフ３００は、二次電源における電圧が１．５Ｖの場合の、電流と使用効率との関係を示すグラフである。グラフ３００の領域３１０で囲われた部分では、二次電源が高効率状態となっている。また、グラフ３００の領域３１１で囲われた部分では、二次電源が小電流状態になっている。また、グラフ３００の領域３１２で囲われた部分では、二次電源が大電流状態になっている。
【００９３】
まず、本実施例に係る電源装置による使用効率の改善を行わない状態、すなわち、図８で表される状態では、二次電源３１に流れる電流は、１１Ａである。また、二次電源３２に流れる電流は、１．３Ａである。そして、デバイス８１に流れる電流は、６．０Ａである。また、デバイス８２に流れる電流は、５．０Ａである。また、デバイス８３に流れる電流は、０．７Ａである。さらに、デバイス８４に流れる電流は、０．６Ａである。そして、デバイス８１及び８２は、二次電源３１から電力供給を受けている。また、デバイス８３及び８４は、二次電源３２から電力供給を受けている。
【００９４】
そして、図８では、二次電源３１の電流量及び使用効率は、領域３０１で囲われた部分に位置する。すなわち、二次電源３１は大電流状態となっている。また、二次電源３２の電流量及び使用効率は、領域３０２で囲われた部分に位置する。すなわち、二次電源３２は小電流状態となっている。すなわち、二次電源３１及び３２のいずれも使用効率が悪い状態で動作している。
【００９５】
このとき、効率グラフから二次電源３１及び３２の消費電流を計算する次のようになる。すなわち、二次電源３１の使用効率は８９％であり、消費電流は、１１０００×０．０１１＝１２１ｍＡとなっている。また、二次電源３１の使用効率は９０％であり、消費電流は、１３０００×０．００８＝１３ｍＡとなっている。すなわち、図８の場合の二次電源３１及び３２の消費電流を合わせると、１３５ｍＡとなっている。
【００９６】
そこで、図８の状態で本実施例に係る電源装置を用いて供給元の切り替えを行った場合について説明する。この場合、二次電源３１が大電流状態で、二次電源３２が小電流状態のため、制御部６０は、二次電源３１を電力供給元としているデバイスの中で最小負荷のデバイスの電力供給元を二次電源３２に切り替える。ここで、二次電源３１を電力供給元としているデバイス８１及び８２のうち、負荷が小さいデバイスはデバイス８２である。そこで、制御部６０は、デバイス８２の電力供給元を二次電源３１から二次電源３２に切り替えるように電源選択回路７０を制御する。これにより、二次電源３１が電力を供給するデバイスは、６．０Ａの電流が流れるデバイス８１のみとなり、二次電源３１の電流量は６．０Ａとなる。また、二次電源３２が電力を供給するデバイスは、デバイス８２、８３及び８４となる。デバイス８２、８３、８４は、それぞれ５．０Ａ、０．７Ａ、０．６Ａの電流が流れているので、二次電源３１の電流量は６．３Ａとなる。この場合、図９に示すように、二次電源３１の電流量及び使用効率は領域３０３で囲われた部分に位置する。また、二次電源３２の電流量及び使用効率は領域３０４で囲われた部分に位置する。
【００９７】
すなわち、元々は図８に示すように、二次電源３１及び３２共に使用効率は高効率状態から離れていたものが、本実施例に係る電源装置を使用することで、図９に示すように、二次電源３１及び３２のいずれもが高効率状態もしくはそれに近い状態になっている。
【００９８】
このとき、図９から二次電源３１及び３２の消費電流を計算する次のようになる。すなわち、二次電源３１の使用効率は９２．５％であり、消費電流は、６０００×０．００７５＝４５ｍＡとなっている。また、二次電源３１の使用効率は９２％であり、消費電流は、６３００×０．００８＝５０ｍＡとなっている。すなわち、図９の場合の二次電源３１及び３２の消費電流を合わせると、９５ｍＡとなっている。その結果、図９の消費電流は、図８の消費電流に比べて、１３５−９５＝４０ｍＡの消費電流を削減することができている。
【００９９】
このように、本実施例に係る電源装置を用いることで、二次電源３１及び３２のいずれも使用効率が悪い場合に、それぞれの電源の使用効率を向上させることができる。
【０１００】
次に、図１０及び図１１を参照して、二次電源３１の使用効率が悪い場合における、本実施例に係る電力装置による使用効率の改善について説明する。図１０は、一方の二次電源の使用効率が悪い状態の使用効率を説明するための図である。また、図１１は、図１０の状態を実施例に係る電源装置によって改善した場合の使用効率を説明するための図である。図１０及び図１１では、縦軸が使用効率を表し、横軸が電流量を表している。また、図１０及び図１１は、一例として、二次電源３１及び３２にかかる電圧が１．５Ｖのときの、電流量と使用効率の関係を表している。
【０１０１】
図１０及び図１１においても、図８及び図９と同様に、グラフ３００は、二次電源における電圧が１．５Ｖの場合の、電流と使用効率との関係を示すグラフである。また、グラフ３００の領域３１０で囲われた部分では、二次電源が高効率状態となっている。また、グラフ３００の領域３１１で囲われた部分では、二次電源が小電流状態になっている。また、グラフ３００の領域３１２で囲われた部分では、二次電源が大電流状態になっている。
【０１０２】
まず、本実施例に係る電源装置による使用効率の改善を行わない状態、すなわち、図１０で表される状態では、二次電源３１に流れる電流は、１１Ａである。また、二次電源３２に流れる電流は、５．０Ａである。そして、デバイス８１に流れる電流は、６．０Ａである。また、デバイス８２に流れる電流は、５．０Ａである。また、デバイス８３に流れる電流は、２．０Ａである。さらに、デバイス８４に流れる電流は、３．０Ａである。そして、デバイス８１及び８２は、二次電源３１から電力供給を受けている。また、デバイス８３及び８４は、二次電源３２から電力供給を受けている。
【０１０３】
そして、図１０では、二次電源３１の電流量及び使用効率は、領域３０５で囲われた部分に位置する。すなわち、二次電源３１は大電流状態となっている。また、二次電源３２の電流量及び使用効率は、領域３０６で囲われた部分に位置する。すなわち、二次電源３２は高効率状態となっている。すなわち、二次電源３１のみが使用効率が悪い状態で動作している。
【０１０４】
このとき、図１０から二次電源３１及び３２の消費電流を計算する次のようになる。すなわち、二次電源３１の使用効率は８９％であり、消費電流は、１１０００×０．０１１＝１２１ｍＡとなっている。また、二次電源３１の使用効率は９３％であり、消費電流は、１３０００×０．００７＝３５ｍＡとなっている。すなわち、図８の場合の二次電源３１及び３２の消費電流を合わせると、１５６ｍＡとなっている。
【０１０５】
そこで、図１０の状態で本実施例に係る電源装置を用いて供給元の切り替えを行った場合について説明する。この場合、二次電源３１が大電流状態で、二次電源３２が高効率状態のため、制御部６０は、二次電源３１を電力供給元としているデバイスの中で最小負荷のデバイスの電力供給元を二次電源３２に切り替える。ここで、二次電源３１を電力供給元としているデバイス８１及び８２のうち、負荷が小さいデバイスはデバイス８２である。そこで、制御部６０は、デバイス８２の電力供給元を二次電源３１から二次電源３２に切り替えるように電源選択回路７０を制御する。これにより、二次電源３１が電力を供給するデバイスは、６．０Ａの電流が流れるデバイス８１のみとなり、二次電源３１の電流量は６．０Ａとなる。また、二次電源３２が電力を供給するデバイスは、デバイス８２、８３及び８４となる。デバイス８２、８３、８４は、それぞれ５．０Ａ、２．０Ａ、３．０Ａの電流が流れているので、二次電源３１の電流量は１０Ａとなる。
【０１０６】
この場合、二次電源３１が高効率状態で、二次電源３２が大電流状態のため、制御部６０は、二次電源３２を電力供給元としているデバイスの中で最小負荷のデバイスの電力供給元を二次電源３１に切り替える。ここで、二次電源３１を電力供給元としているデバイス８２、８３及び８４のうち、負荷が小さいデバイスはデバイス８３である。そこで、制御部６０は、デバイス８３の電力供給元を二次電源３２から二次電源３１に切り替えるように電源選択回路７０を制御する。これにより、二次電源３１が電力を供給するデバイスは、デバイス８１及び８３となる。デバイス８１、８３は、それぞれ６．０Ａ、２．０Ａの電流が流れているので、二次電源３１の電流量は７．０Ａとなる。また、二次電源３２が電力を供給するデバイスは、デバイス８２及び８４となる。デバイス８２、８４は、それぞれ５．０Ａ、３．０Ａの電流が流れているので、二次電源３１の電流量は８Ａとなる。
【０１０７】
この場合、図１１に示すように、二次電源３１及び二次電源３２の電流量及び使用効率はいずれも領域３１７で囲われた部分に位置する。
【０１０８】
この場合、元々は図１０に示すように、二次電源３１の使用効率は高効率状態から非常に離れていたが、本実施例に係る電源装置を使用することで、図１１に示すように、二次電源３１及び３２のいずれもが高効率状態に近い状態となっている。
【０１０９】
さらに、図１１から二次電源３１及び３２の消費電流を計算する次のようになる。すなわち、二次電源３１の使用効率は９１．５％であり、消費電流は、８０００×０．００８５＝６８ｍＡとなっている。また、二次電源３１の使用効率は９１．５％であり、消費電流は、８０００×０．００８５＝６８ｍＡとなっている。すなわち、図１１の場合の二次電源３１及び３２の消費電流を合わせると、１３６ｍＡとなっている。その結果、図１１の消費電流は、図１０の消費電流に比べて、１５６−１３６＝２０ｍＡの消費電流を削減することができている。
【０１１０】
このように、両方の電源の使用効率を総合して考えた場合、本実施例に係る電源装置により電源供給元の切り替えの処理を施したほうが、使用効率は向上しているといえる。
【０１１１】
以上に説明したように、本実施例に係る電源装置は、各電源の電源効率が悪い場合に、デバイスへの電源供給元を切り替えることで、電源装置が搭載された装置における電源の使用効率を向上させることができる。
【０１１２】
〔ハードウェア構成〕
次に、図１２を参照して、本実施例に係る電源装置のハードウェア構成について説明する。図１２は、電源装置のハードウェア構成の一例の図である。
【０１１３】
本実施例に係る電源装置は、基板５００上に搭載されている。基板５００は、基板を複数枚挿入し、基板間の通信や、挿入された基板全てに対して外部からの電力を供給するためのシェルフ４００に挿入されている。より詳しくは、基板５００は、シェルフ４００に配置された基板間の配線や電力線などが配線されたＢＷＢ（Back  Wiring  Board）に接続されている。
【０１１４】
基板５００上には、図１２に示すように、一次電源５１０、二次電源５２１、５２２、二次電源５３１、５３２が配置されている。さらに、基板５００上には、比較器５３０、ＣＰＵ（Central  Processing  Unit）５４０、メモリ５６０、電源選択回路５７０及びＦＰＧＡ（Field  Programmable  Gate  Array）５８１〜５８４が配置されている。
【０１１５】
ＣＰＵ５４０、メモリ５６０、電源選択回路５７０及びＦＰＧＡ５８１〜５８４はそれぞれバスで接続されている。
【０１１６】
外部からシェルフ４００に取り込まれた電力は、一次電源５１０に供給され電圧が低下された後、二次電源５２１、５２２、５３１、５３２に供給される。
【０１１７】
二次電源５２１及び二次電源５２２は、基板５００のメイン電源となり、ＣＰＵ５４０、メモリ５６０などに電力を供給する。ここで、二次電源５２１及び二次電源５２２から出ている矢印は、基板上の各部に電源を供給していることを表している。また、二次電源５３１及び二次電源５３２が、二次電源３１、３２の機能を実現する。ここで、図１２の点線矢印は電力の供給を表している。
【０１１８】
比較器５３０が、増幅器４１、４２及び状態検出部５０の機能を実現する。また、ＦＰＧＡ５８１〜５８４がデバイス８１〜８４にあたる。
【０１１９】
そして、ＣＰＵ５４０及びメモリ５６０は、図１に示した選択判定部６１、デバイス制御部６２及び電源設定部６３を含む制御部６０などの機能を実現する。具体的には、メモリ５６０には、図１に示した選択判定部６１、デバイス制御部６２及び電源設定部６３を含む制御部６０などによる処理を実現する各種プログラムを記憶している。そして、ＣＰＵ５４０がこれらのプログラムを読み出して実行することで、上述の各機能を実現するプロセスを生成する。
【０１２０】
ただし、図１２に示したハードウェア構成は一例であり、本実施例に係る電源装置のハードウェア構成としてはこれに限らない。例えば、基板ではなく単体の装置の中に電源装置が組み込まれていてもよい。
【０１２１】
また、以上では、二次電源として２つの電源を搭載した場合で説明したが、これに限らず、電源は複数であればいくつであってもよい。その場合、ある電源が大電流状態であれば、他の電源の中から小電流状態又は高効率状態の電源を選び、選んだ電源から電力供給を受けるように最小負荷のデバイスを切り替えればよい。この場合、他の電源としては、小電流状態のものを選ぶのが好ましい。逆に、ある電源が小電流状態であれば、他の電源の中から大電流状態又は高効率状態の電源を選び、選んだ電源における最小負荷のデバイスが小電流状態の電源から電力供給を受けるように切り替えればよい。この場合、他の電源としては、大電流状態のものを選ぶのが好ましい。
【０１２２】
以上の各実施例を含む実施形態に関し、さらに以下の付記を開示する。
【０１２３】
（付記１）複数のデバイスに電力を供給する複数の電源部と、
各デバイスに対する電力の供給元を前記複数の電源部からそれぞれ選択する電源選択回路と、
前記各電源部のそれぞれの電流量を検出する検出部と、
前記検出部により検出された電流量を基に、前記電源選択回路による前記各デバイスに対する電力の供給元の選択を制御する制御部と
を備えたことを特徴とする電源装置。
【０１２４】
（付記２）前記各電源部のそれぞれに対する入出力電源フィルタ回路をさらに備え、
前記検出部は、前記入出力電源フィルタ回路の電位差を計測することで前記各電源部の電流量を検出することを特徴とする付記１に記載の電源装置。
【０１２５】
（付記３）前記入出力電源フィルタは、前記各電源部の入力側に配置されていることを特徴とする付記２に記載の電源装置。
【０１２６】
（付記４）前記入出力電源フィルタは、前記各電源部の出力側に配置されていることを特徴とする付記２に記載の電源装置。
【０１２７】
（付記５）前記入出力電源フィルタは、前記各電源部の入力側又は出力側のいずれかにフィルタ位置を選択的に変更できることを特徴とする付記２に記載の電源装置。
【０１２８】
（付記６）前記制御部は、前記電流量が第１閾値以上の場合、大電流と判定し、前記電流量が前記第１閾値より小さい値である第２閾値未満の場合、小電流と判定し、その判定結果を基に制御を行うことを特徴とする付記１又は付記２に記載の電源装置。
【０１２９】
（付記７）前記制御部は、複数の前記電源部のうち大電流である電源部が電力を供給している中で負荷が最小のデバイスを、電位差が第１閾値未満の電源部から電力の供給を受けるように前記電源選択回路による選択を切り替えることを特徴とする付記６に記載の電源装置。
【０１３０】
（付記８）前記制御部は、複数の前記電源部のうち小電流である電源部が、電位差が第２閾値より大きい電源部が供給しているデバイスの中で負荷が最小のデバイスに電力を供給するように、前記電源選択回路による選択を切り替えることを特徴とする付記６又は付記７に記載の電源装置。
【０１３１】
（付記９）複数のデバイスに電力を供給する第１電源部及び第２電源部と、
各デバイスに対する電力の供給元を前記第１電源部又は前記第２電源部からそれぞれ選択する電源選択回路と、
前記第１電源部における第１電流量を検出し、前記第２電源部における第２電流量を検出する検出部と、
前記検出部により検出された前記第１電流量及び前記第２電流量を基に、前記各デバイスに対する電力の供給元を前記第１電源部又は前記第２電源部のいずれにするかの選択を制御する制御部と
を備えたことを特徴とする電源装置。
【０１３２】
（付記１０）前記制御部は、前記第１電源部又は前記第２電源部のうち一方における電位差が第１閾値以上であり、他方における電位差が前記第１閾値未満の場合、前記一方が電力を供給している中で負荷が最小のデバイスを前記他方から電力の供給を受けるように選択を切り替えるように前記電源選択回路を制御することを特徴とする付記９に記載の電源装置。
【０１３３】
（付記１１）前記制御部は、前記第１電源部又は前記第２電源部のうち一方における電位差が前記第１閾値より低い値である第２閾値以下であり、他方における電位差が前記第２閾値より大きい場合、前記一方が電力を供給している中で負荷が最小のデバイスを前記他方から電力の供給を受けるように選択を切り替えるように前記電源選択回路を制御することを特徴とする付記１０に記載の電源装置。
【０１３４】
（付記１２）複数のデバイスに電力を供給する複数の電源のそれぞれの電流量を検出し、
検出した電流量を基に、前記各デバイスに対する電力の供給元となる前記電源を選択し
各デバイスに対して選択した前記電源から電力を供給する
ことを特徴とする電源装置制御方法。
【符号の説明】
【０１３５】
１０  一次電源
２１、２２  コイル
３１、３２  二次電源
４１、４２  増幅器
５０  状態検出部
６０  制御部
６１  選択判定部
６２  デバイス制御部
６３  電源設定部
７０  電源選択回路
８１〜８４  デバイス
【図１】
2013093997.tif 000003
【図２】
2013093997.tif 000004
【図３Ａ】
2013093997.tif 000005
【図３Ｂ】
2013093997.tif 000006
【図４】
2013093997.tif 000007
【図５】
2013093997.tif 000008
【図６】
2013093997.tif 000009
【図７】
2013093997.tif 000010
【図８】
2013093997.tif 000011
【図９】
2013093997.tif 000012
【図１０】
2013093997.tif 000013
【図１１】
2013093997.tif 000014
【図１２】
2013093997.tif 000015